(57)【要約】      （修正有）【課題】洗浄部を洗浄対象物の形状に沿わせて洗浄することができ、而も、洗浄対象物の溝等の凹部に付着した汚れを満遍なく効果的に落とすことができる洗浄具を提供する。【解決手段】クッション部Ａを被覆体Ｂにより被覆する。被覆体Ｂは、その表面部全体が、基布ＳにカットパイルＰが満遍なく植設されてなる洗浄部Ｃを構成する。洗浄部Ｃを構成するカットパイルＰは、ポリプロピレンフィルムから得られる捲縮スプリットヤーンからなる。カットパイルＰは基布Ｓに対しタフティングにより植設され、基布Ｓの裏面側においてラテックスによる抜糸止め加工が施されている。【選択図】図２
0003170447.tif 000002
【実用新案登録請求の範囲】
【請求項１】
可撓性のシート形状基部にカットパイルが満遍なく設けられてなる洗浄部を表面部の全部又は部分に有し、前記カットパイルがスプリットヤーンからなるものであることを特徴とする洗浄具。
【請求項２】
可撓性のシート形状基部にカットパイルが満遍なく設けられてなる洗浄部を表面部の全部又は部分に有し、前記カットパイルがスプリットヤーンからなるものである可撓性の被覆体と、
弾性的に収縮及び復元し得るクッション部からなり、
前記クッション部が前記被覆体により被覆されていることを特徴とする洗浄具。
【請求項３】
上記カットパイルがスプリットヤーンからなるものと剛性線条体からなるものとが混合したものである請求項１又は２記載の洗浄具。
【請求項４】
上記スプリットヤーンが、捲縮されたスプリットヤーンである請求項１乃至３の何れか１項に記載の洗浄具。
【請求項５】
上記洗浄部の全部又は部分が平坦状である請求項１乃至４の何れか１項に記載の洗浄具。
【考案の詳細な説明】
【技術分野】
【０００１】
本考案は、カットパイルが植設されてなる洗浄部を備えた洗浄具に関する。
【背景技術】
【０００２】
実用新案登録第３６２８１７１号公報には、多数の熱融着可能な繊維が密集して刷毛が形成され、前記繊維が基材シートに熱融着されている清掃用モップにおいて、前記繊維が層状にまとめられて前記繊維の層が二つ折りにされ、その折り畳み部分で前記繊維の層が互いに熱融着により接合されて前記刷毛が形成されていることを特徴とする清掃用モップが開示されている。
【０００３】
この清掃用モップを用いれば、装着するホルダーの形にかかわらず、凹凸部や湾曲部の埃やごみを払拭することができ、特に、刷毛を形成する繊維若しくは短冊状フィルムの種類によっては、通常の木綿のパイルでできたモップよりも繊維若しくはフィルムが細いので、細かな隙間にも入り込んで埃やごみを払うことができるものとされている。
【０００４】
しかしながら、実用新案登録第３６２８１７１号公報記載の清掃用モップの場合、対象物の溝等の凹部に付着した汚れを落とす上で十分な効果を発揮し得るものではなかった。
【先行技術文献】
【特許文献】
【０００５】
【特許文献１】実用新案登録第３６２８１７１号公報
【考案の概要】
【考案が解決しようとする課題】
【０００６】
本考案は、従来技術に存した上記のような課題に鑑み行われたものであって、その目的とするところは、洗浄部を洗浄対象物の形状に沿わせて洗浄することができ、而も、洗浄対象物の溝等の凹部に付着した汚れを満遍なく効果的に落とすことができる洗浄具を提供することにある。
【課題を解決するための手段】
【０００７】
(1) 上記目的を達成する本考案の洗浄具は、
可撓性のシート形状基部にカットパイルが満遍なく設けられてなる洗浄部を表面部の全部又は部分に有し、前記カットパイルがスプリットヤーンからなるものであることを特徴とする。
【０００８】
細く且つ薄く而もしなやかなスプリットヤーンを、可撓性のシート形状基部にカットパイルとして満遍なく植設して洗浄部とすることにより、洗浄部を洗浄対象物の形状に沿わせて洗浄することができる。
【０００９】
而も、スプリットヤーンをカットパイルとして満遍なく植設することによって、細く且つ薄いスプリットヤーンが洗浄対象物の溝等の凹部に入り込み易く、而も、しなやかでありながら網目状をなしエッジ部分を多く有するスプリットヤーンにより、洗浄対象物を傷付けずに汚れを満遍なく効果的に掻きとることができる。
【００１０】
(2) 本考案の別の洗浄具は、
可撓性のシート形状基部にカットパイルが満遍なく設けられてなる洗浄部を表面部の全部又は部分に有し、前記カットパイルがスプリットヤーンからなるものである可撓性の被覆体と、
弾性的に収縮及び復元し得るクッション部からなり、
前記クッション部が前記被覆体により被覆されていることを特徴とする。
【００１１】
弾性的に収縮及び復元し得るクッション部が、可撓性のシート形状基部にスプリットヤーンからなるカットパイルが満遍なく植設されてなる洗浄部を表面部の全部又は部分に有する可撓性の被覆体により被覆されているので、洗浄部を、より効果的に洗浄対象物の形状に沿わせて洗浄することができる。
【００１２】
而も、スプリットヤーンをカットパイルとして満遍なく植設することによって、細く且つ薄いスプリットヤーンが、洗浄対象物の溝等の凹部に入り込み易く、而も、しなやかでありながら網目状をなしエッジ部分を多く有するスプリットヤーンにより、洗浄対象物を傷付けずに汚れを満遍なく効果的に掻きとることができる。
【００１３】
(3) 本考案の洗浄具は、上記カットパイルが、スプリットヤーンからなるものと剛性線条体からなるものとが混合したものとすることができる。
【００１４】
スプリットヤーンからなるカットパイルと剛性線条体からなるカットパイルとが混合した状態で可撓性のシート形状基部に満遍なく植設された洗浄部により、汚れが付着し或いはこびりついている洗浄対象物を洗浄すると、比較的しなやかなスプリットヤーンカットパイルに対し、剛性線条体カットパイルは、剛性が比較的に高いため、こびりついた汚れを効果的に崩すことができ、スプリットヤーンカットパイルは、付着した汚れを満遍なく効果的に掻きとることができる。
【００１５】
従って、強くこびりついた汚れは、剛性線条体カットパイルが汚れを崩し、崩れつつある汚れをスプリットヤーンカットパイルが掻きとり、更にこびりついている汚れを剛性線条体カットパイルが崩し、残った汚れをスプリットヤーンカットパイルが満遍なく掻きとるというように、混合した剛性線条体カットパイルとスプリットヤーンカットパイルが協働して効果的に除去することができ、広く付着した汚れは、スプリットヤーンカットパイルが満遍なく効果的に掻きとって除去することができる。
【００１６】
(4) 本考案の洗浄具は、上記スプリットヤーンが、捲縮されたスプリットヤーンであるものとすることができる。
【００１７】
この場合、カットパイルを構成するスプリットヤーンが捲縮されているため、より高い洗浄効果が得られる。
【００１８】
(5) 本考案の洗浄具は、上記洗浄部の全部又は部分が平坦状であるものとすることができる。
【００１９】
この場合、洗浄部の全部又は部分（例えば面積の５０％以上、７０％以上、又は８０％以上）が平坦状であり、且つ、洗浄部が可撓性であるため、洗浄対象部が平坦部であっても湾曲していても、その形状に沿って効果的に洗浄を行い得る。
【考案の効果】
【００２０】
本考案の洗浄具によれば、洗浄部を洗浄対象物の形状に沿わせて洗浄することができ、スプリットヤーンをカットパイルとして満遍なく植設することによって、細く且つ薄いスプリットヤーンが洗浄対象物の溝等の凹部に入り込み易く、而も、しなやかでありながら網目状をなしエッジ部分を多く有するスプリットヤーンにより、汚れを満遍なく効果的に掻きとって洗浄することができる。
【図面の簡単な説明】
【００２１】
【図１】第１の例の洗浄具の模式的な半断面図である。
【図２】第２の例の洗浄具の模式的な半断面図である。
【考案を実施するための形態】
【００２２】
(1)  本考案の実施の形態を、図面を参照しつつ説明する。図面は何れも本考案の洗浄具の実施の形態の第１の例及び第２の例に関するものである。
【００２３】
第１の例及び第２の例の洗浄具は、何れも、発泡ウレタン製のスポンジ状部材からなるクッション部Ａが被覆体Ｂにより被覆されてなるものである。何れの例の被覆体Ｂも、クッション部Ａ全体を被覆する袋状をなす。
【００２４】
第１の例の洗浄具は、略直方体形状をなし、第１の例の被覆体Ｂは、その表面部全体が、基布Ｓ（可撓性のシート形状基部）にカットパイルＰが満遍なく植設されてなる洗浄部Ｃを構成するものである。洗浄具の各面において、洗浄部Ｃは平坦状をなす。
【００２５】
一方、第２の例の洗浄具は、スポンジ状部材により若干の厚みを有する略長方形状をなし、第２の例の被覆体Ｂは、表側全体が、基布ＳにカットパイルＰが満遍なく植設されてなる洗浄部Ｃを構成し、裏側は、マイクロファイバー製のメッシュ生地からなる拭部Ｄを構成している。第２の例の洗浄具の洗浄部Ｃは平坦状をなす。第２の例の洗浄具は、拭部Ｄの長手方向中央部に形成された短手方向の凹線部Ｅにおいて谷折りすることにより、表裏両側共に洗浄部Ｃとした状態で使用することもできる。
【００２６】
何れの例においても、洗浄部Ｃを構成するカットパイルＰは、ポリプロピレンフィルムから得られる捲縮スプリットヤーンからなるものであり、基布Ｓに対しタフティングにより植設され、基布Ｓの裏面側においてラテックスによる抜糸止め加工が施されている。
【００２７】
(2)  第１の例及び第２の例の何れの洗浄具の場合も、細く且つ薄く而もしなやかなスプリットヤーンを、基布Ｓ（可撓性のシート形状基部）にカットパイルＰとして満遍なく植設した洗浄部Ｃを有する可撓性の被覆体Ｂにより、弾性的に収縮及び復元し得るクッション部Ａが被覆されて洗浄具を構成している。
【００２８】
そのため、洗浄部Ｃを洗浄対象物の形状に沿わせて効果的に洗浄することができる。
【００２９】
特に、捲縮されたスプリットヤーンをカットパイルＰとして満遍なく植設することによって、細く且つ薄いスプリットヤーンが、洗浄対象物の溝等の凹部に入り込み易く、而も、しなやかでありながら網目状をなしエッジ部分を多く有するスプリットヤーンにより、洗浄対象物を傷付けずに汚れを満遍なく効果的に掻きとって洗浄することができる。
【００３０】
また、洗浄部Ｃは平坦状であり、且つ、洗浄部Ｃが可撓性であるため、洗浄対象部が平坦部であっても湾曲していても、その形状に沿って効果的に洗浄を行い得る。
【００３１】
(3)  本考案の洗浄具における、スプリットヤーンからなるカットパイルが満遍なく設けられて洗浄部を構成する可撓性のシート形状基部としては、例えば、織布若しくは不織布製の基布、又はパイル織物若しくはパイル編物の地組織部分、或いは布以外のシート状材料を挙げることができる。可撓性のシート形状基部は、通気性・通水性を有するものとすることができるが、必ずしもこれに限るものではない。カットパイルは、密に設けることができるモケットのパイルであることが好ましい。
【００３２】
本考案の洗浄具におけるスプリットヤーン（スプリット糸）は、一軸延伸フィルムに縦方向の切れ目（スリット）が多数形成されることにより、幅方向（フィルムの送り方向に直交する方向）に拡げたときに網状となる糸状体、又はこれに類するものとすることができる。
【００３３】
本考案におけるスプリットヤーンとしては、例えばポリプロピレンやポリエチレン等の合成樹脂製のフィルムから得られるものを用いることができる。
【００３４】
スプリットヤーンからなるカットパイルの長さは、例えば７乃至５０ｍｍとすることができる。カットパイルの好適な長さは１０乃至２０ｍｍである。
【００３５】
本考案におけるスプリットヤーンの太さは、例えば５００乃至５０００ｄＴｅｘとすることができる。好適な太さは、１０００乃至３０００ｄＴＸ、例えば２０００ｄＴｅｘである。また本考案におけるスプリットヤーンとしては、例えばスリット幅が０．４乃至０．７ｍｍのものを用いることができる。また本考案におけるスプリットヤーンの原材料であるポリプロピレンのロックウェル硬さとしては、例えば８５乃至１１０ＨＲＣのものを用いることができる。硬い方が掻きとり効果は上がるが、硬すぎると洗浄対象に傷が付きやすくなる。
【００３６】
なお、本考案の洗浄具における洗浄部を構成するスプリットヤーンからなるカットパイルは、一連のパイルが連係した状態で植設されるのではなく、各パイルが独立状に起毛した状態に植設されたものであることが、洗浄対象部の凹部等に対する十分な洗浄効果を得る上で望ましい。
【００３７】
本考案におけるカットパイルを構成するスプリットヤーンは、それ自体が径方向外方へ広がろうとする性質を有するため、基布（可撓性のシート形状基部）に植設した場合に脱落が比較的生じにくく、捲縮スプリットヤーンの場合、その性質が更に強まる。アクリル、ＮＢＲ、ＳＢＲなどのラテックスまたはＥＶＡ、ＴＰＲ、ＰＰ、ＰＥなどの樹脂による抜糸止め加工、或いはその他の抜糸止め加工を施すことにより、カットパイルは更に抜けにくくなる。
【００３８】
本考案の洗浄具は、その一つの面全部がスプリットヤーンからなるカットパイルにより構成された洗浄部であるものとすることができるほか、一つの面が、スプリットヤーンからなるカットパイルにより構成された洗浄部と上記第２の例における拭部のような他の機能を有する１種又は２種以上の部分により構成されるものとすることもできる。
【００３９】
本考案の洗浄具におけるクッション部としては、発泡ウレタンや発泡ポリエチレン等のスポンジ状部材を用いることができる。なお、本考案の洗浄具は、クッション部を有しないものとすることもできる。
【００４０】
本考案の洗浄具は、その洗浄部の全部又は部分（例えば３０−５０％以上、或いは７０−８０％以上）が平坦状であることが望ましい。
【００４１】
また、本考案の洗浄具におけるカットパイルは、スプリットヤーンからなるものと剛性線条体からなるものとが混合したものとすることもできる。スプリットヤーンパイルと剛性線条体パイルの混合は、パイルの本数において、例えば１：１乃至１０：１とすることができ、好ましくは２：１乃至５：１とすることができる。
【００４２】
本考案における剛性線条体は、スプリットヤーンよりも剛性が高い線条体（ブリッスル等）からなる。このような線条体としては、例えば、ポリプロピレン、ポリアミド、ポリエステル、ポリフェニレンスルフィド等の合成樹脂からなる線条体を用いることができる。
【００４３】
剛性線条体カットパイルの長さは、スプリットヤーンカットパイルと同等とすることができるが、必ずしもこれに限らず、例えば剛性カットパイルの長さが、スプリットヤーンカットパイルのよりもやや短いものとすることもできる。
【００４４】
本考案における剛性線条体の太さは、例えば１００乃至１００００ｄＴｅｘとすることができる。好適な太さは、１５０乃至５０００ｄＴＸである。
【符号の説明】
【００４５】
Ａ      クッション部
Ｂ      被覆体
Ｃ      洗浄部
Ｄ      拭部
Ｅ      凹線部
Ｐ      カットパイル
Ｓ      基布
【図１】
0003170447.tif 000003
【図２】
0003170447.tif 000004